(57)【要約】      （修正有）【課題】送電網損失状態に陥っても誘導発電機が過回転に至ることのない様な発電システムを提供する。【解決手段】工業プラント１０において、システム１００は、第１のエネルギーを第２のエネルギーに変換するための原動力を含む。該システムは、原動力に動作可能なように結合され、第２のエネルギーを使用して電力を発生させるように構成された誘導発電機も含む。また、送電網損失状態の間、誘導発電機の端子電圧を制御するための誘導発電機に電気的に結合されたインバータを含む。さらに、送電網損失状態の間、誘導発電機によって発生された電力を消費するためのインバータに動作可能なように結合された電力消費デバイスも含む。【選択図】図１
2016103968.tif 000002
【特許請求の範囲】
【請求項１】
第１のエネルギーを第２のエネルギーに変換するための原動力（１１０）と、
前記原動力（１１０）に動作可能なように結合され、前記第２のエネルギーを使用して電力を発生させるように構成された誘導発電機（１２０）と、
送電網損失状態の間、前記誘導発電機（１２０）の端子電圧を制御するための、前記誘導発電機に電気的に結合されたインバータ（１８０）と、
前記送電網損失状態の間、前記誘導発電機（１２０）によって発生された電力を消費するための、前記インバータ（１８０）に動作可能なように結合された電力消費デバイス（２００、２４０）とを備える、発電システム（１００）。
【請求項２】
前記原動力（１１０）が、ガスタービン、蒸気タービン、前記ガスタービンと前記蒸気タービンとの組合せ、または風力タービンを備える、請求項１記載のシステム（１００）。
【請求項３】
前記原動力（１１０）が、有機ランキンサイクルベースの発電システムを備える、請求項１記載のシステム（１００）。
【請求項４】
前記インバータ（１８０）が、自励式無効電力補償装置（ＳＴＡＴＣＯＭ）を備える、請求項１記載のシステム（１００）。
【請求項５】
前記電力消費デバイス（２００、２４０）が、抵抗素子を備える、請求項１記載のシステム（１００）。
【請求項６】
前記誘導発電機（１２０）に動作可能なように結合されたコンデンサバンク（２７０）または切替可能コンデンサのバンクまたはそれらの組合せをさらに備える、請求項１記載のシステム（１００）。
【請求項７】
前記コンデンサバンク（２７０）または前記切替可能コンデンサのバンクまたはそれらの前記組合せが、無効電力を前記誘導発電機（１２０）に提供する、請求項６記載のシステム（１００）。
【請求項８】
前記誘導発電機（１２０）に動作可能なように結合された補助負荷（２８０）をさらに備える、請求項１記載のシステム（１００）。
【請求項９】
前記補助負荷（２８０）が、送電網損失状態の間、前記インバータ（１８０）から電力を受ける、請求項８記載のシステム（１００）。
【請求項１０】
前記誘導発電機（１２０）を送電網（１４０）に接続しまたは送電網（１４０）から切り離すように構成されたスイッチ（１９０）をさらに備える。請求項１記載のシステム（１００）。
【請求項１１】
前記発電システム（１００）に動作可能なように結合された補助発電機（１６０）をさらに備える、請求項１記載のシステム（１００）。
【請求項１２】
前記補助発電機（１６０）がディーゼル発電機をさらに備える、請求項１１記載のシステム（１００）。
【請求項１３】
発電システム（１００）における送電網損失状態を識別するステップと、
スイッチを使用して送電網（１４０）を誘導発電機（１２０）から切り離すステップと、
前記誘導発電機（１２０）の端子電圧を制御するためにインバータ（１８０）を制御するステップと、
電力消費デバイス（２００，２４０）を使用して前記誘導発電機（１２０）によって発生された電力を消費するステップとを含む、方法。
【請求項１４】
前記補助発電機（１６０）が作動し次第、前記誘導発電機（１２０）を前記補助発電機（１６０）に同期させるための前記インバータ（１８０）を使用するステップをさらに含む、請求項１３記載の方法。
【請求項１５】
前記誘導発電機（１２０）を前記補助発電機（１６０）と同期させた後、前記スイッチ（１９０）を使用して前記補助発電機（１６０）を前記誘導発電機（１２０）に接続するステップをさらに含む、請求項１３記載の方法。
【請求項１６】
前記送電網（１４０）が修復し次第、前記誘導発電機（１２０）を前記送電網（１４０）と同期させるために前記インバータ（１８０）を使用するステップをさらに含む、請求項１３記載の方法。
【請求項１７】
前記送電網（１４０）が修復し次第、無効電力を前記誘導発電機（１２０）に提供するように前記インバータ（１８０）を制御するステップをさらに含む、請求項１３記載の方法。
【請求項１８】
前記補助発電機（１６０）が非開始し次第、前記原動力（１１０）を使用して所定の速度で前記誘導発電機（１２０）の速度を低減することによって前記誘導発電機（１２０）を運転停止させるステップをさらに含む、請求項１３記載の方法。
【請求項１９】
コンデンサバンク（２７０）または切替可能コンデンサのバンクを使用して無効電力を前記誘導発電機（１２０）に提供するステップをさらに含む、請求項１３記載の方法。
【請求項２０】
発電システム（１００）内の誘導発電機（１２０）に送電網損失ライドスルー機能を提供するための改修ユニット（２１０、２５０）であって、
前記誘導発電機（１２０）に動作可能なように結合され、送電網損失状態の間、前記誘導発電機（１２０）の端子電圧を制御するように構成されたインバータ（１８０）と、
前記インバータ（１８０）に電気的に結合され、送電網損失状態の間、前記誘導発電機（１２０）によって発生された電力を消費するように構成された電力消費デバイス（２００、２４０）とを備える、改修ユニット（２１０、２５０）を備える、システム。
【発明の詳細な説明】
【技術分野】
【０００１】
本発明の実施形態は、一般に発電システムに関し、より詳しくは、送電網損失ライドスルー機能を有する誘導発電機システムに関する。
【背景技術】
【０００２】
様々なエネルギー源から電力を発生させるのに様々な種類の発電システムが使用される。発電システムは、第１の形のエネルギーを第２の形のエネルギーに変換する原動力を含むことができる。第２の形のエネルギーは、電力を発生させるために発電機によって使用される。発電システムは、電力を発生させるために同期発電機または非同期発電機を含むことができる。誘導発電機とも呼ばれる非同期発電機を用いる発電システムでは、誘導発電機が所望の速度で回転して、電力を発生させ、電力はＡＣリンクを介して送電網に伝送される。
【０００３】
しかし、送電網上の障害により送電網供給停止が起きる状況では、原動力の速度が増加し、それによって、結果として原動力に結合された誘導発電機の速度が増加することになる。そのような速度の増加は望ましくない結果をもたらす。したがって、送電網供給停止を識別し次第、原動力が強制的におよび迅速に運転停止され、または別の方法で迂回して、望ましくない過速度の結果を克服する。しかし、そのような強制的なおよび迅速な運転停止は、誘導発電機を駆動する原動力を損傷することがある。頻繁な送電網供給停止は、結果として時間とともに発電システムの性能が低下し、保守費用がより高くなる。
【０００４】
したがって、上記の問題に対処する、改善されたシステムが必要とされる。
【発明の概要】
【０００５】
簡単に言うと、一実施形態によれば、発電システムが提供される。システムは、第１のエネルギーを第２のエネルギーに変換するための原動力を含む。システムは、原動力に動作可能なように結合され、第２のエネルギーを使用して電力を発生させるように構成された誘導発電機も含む。システムは、送電網損失状態の間、誘導発電機の端子電圧を制御するために誘導発電機に電気的に結合されたインバータをさらに含む。システムは、送電網損失状態の間、誘導発電機によって発生された電力を消費するためにインバータに動作可能なように結合された電力消費デバイスも含む。
【０００６】
別の実施形態では、送電網損失状態の間の誘導発電機のライドスルーのための方法が提供される。方法は、発電システムにおける送電網損失状態を識別するステップを含む。方法は、スイッチを使用して誘導発電機から送電網を切り離すステップも含む。方法は、送電網損失状態を識別し次第、補助発電機を作動させるステップをさらに含む。方法は、誘導発電機の端子電圧を制御するためにインバータを制御するステップも含む。方法は、電力消費デバイスを使用して、誘導発電機によって発生された電力を消費するステップをさらに含む。
【０００７】
さらに別の実施形態では、発電システム内の誘導発電機に送電網損失ライドスルー機能を提供するための改修ユニットが提供される。改修ユニットは、誘導発電機に動作可能なように結合され、送電網損失状態の間、誘導発電機の端子電圧を制御するように構成されたインバータと、インバータに電気的に結合され、送電網損失状態の間、誘導発電機によって発生された電力を消費するように構成された電力消費デバイスとを含む。
【０００８】
本発明のこれらのおよび他の特徴、態様、および利点は、図面全体を通して同じ文字が同じ部分を表す添付の図面を参照して、以下の詳細な説明を読むと、よりよく理解されることになろう。
【図面の簡単な説明】
【０００９】
【図１】本発明の実施形態による、発電システムの構成図である。
【図２】本発明の実施形態による、インバータと電力消費デバイスとを含む、図１の改修ユニットの概略図である。
【図３】本発明の実施形態による、図１の改修ユニットの別の実施形態を含む、発電システムの構成図である。
【図４】本発明の実施形態による、ＡＣリンクに結合された電力消費デバイスを含む、図３の改修ユニットの概略図である。
【図５】本発明の実施形態による、ＡＣリンクに動作可能なように結合されたコンデンサバンクを含む発電システムの構成図である。
【図６】本発明の実施形態による、ＡＣリンクに動作可能なように結合された補助負荷を含む発電システムの構成図である。
【図７】本発明の実施形態による、発電システム内の誘導発電機に送電網損失ライドスルー機能を提供するための方法に関与するステップを表す流れ図である。
【発明を実施するための形態】
【００１０】
本発明の実施形態は、送電網損失ライドスルー機能とそのための方法とを有する誘導発電機システムを含む。システムは、第１のエネルギーを第２のエネルギーに変換するための原動力を含む。システムは、原動力に動作可能なように結合され、第２のエネルギーを使用して電力を発生させるように構成された誘導発電機も含む。システムは、送電網損失状態の間、誘導発電機の端子電圧を制御するための、誘導発電機に電気的に結合されたインバータをさらに含む。システムは、送電網損失状態の間、誘導発電機によって発生された電力を消費するための、インバータに動作可能なように結合された電力消費デバイスも含む。
【００１１】
工業プラントは、それらの動作に高電力を必要とする複数の工業負荷を含む。したがって、工業プラントは、工業負荷を動作させるために電力を発生させる独立した発電システムを採用する。一部のプラントでは、発電システムは、工業負荷の要件に合致することができない。そのような場合に、工業負荷によって必要とされる電力と発電システムの出力との差は、送電網などの外部源からの電力によって埋められる。場合によっては、送電網において障害が起きることがあり、それにより、送電網供給停止または送電網損失状態が生じることがあり、その場合、送電網は、工業負荷に何ら電力を提供することができない。そのような状況を克服するために、ディーゼル発電機などの補助発電機が作動して、送電網が動作可能になるまで工業負荷に電力を提供する。しかし、補助発電機は、作動コマンド受領後、その動作を開始するのに最大数分までかかることがあり、それによって、工業プラント内の発電システムに悪影響を与えることがある。したがって、上記の問題を克服するために、改善された発電システムを説明する。
【００１２】
図１は、本発明の実施形態による、発電システム１００を含む工業プラント１０の構成図である。発電システム１００は、第１のエネルギーを第２のエネルギーに変換する原動力１１０を含む。一実施形態では、原動力１１０は、ガスタービン、蒸気タービン、ガスタービンと蒸気タービンとの組合せ、または風力タービンを含むことができる。別の実施形態では、原動力１１０は、有機ランキンサイクルベースの発電システムを含むことができる。具体的な実施形態では、有機ランキンサイクルベースの発電システムは、バイオマス発電所、地熱発電所、太陽熱発電所を含むことができる。一例では、ガスタービンは、力学的出力を発生させるのに使用される、高温および高圧の流出を発生させるために天然ガスおよび大気を使用する。同様に、蒸気タービンは、熱から力学的出力を発生させるために天然ガスおよび大気の代わりに水を使用する。別の例では、風力タービンは、力学的出力を発生させるため風力エネルギーを使用する。一例では、ガスタービンと蒸気タービンとの組合せは、蒸気タービンが熱回収蒸気発生器を備える、複合サイクル発電所を含むことができる。具体的な例では、熱回収蒸気発生器は、ガスタービンからの廃熱または工業プラントからの何らかの廃棄プロセス熱を回収するために有機ランキンサイクルに基づいて動作することができる。原動力１１０は、公知の動作原理に基づいて力学的出力から電力を発生させる誘導発電機１２０に動作可能なように結合される。さらに、誘導発電機１２０は、工業負荷１３０に電気的に結合され、工業負荷１３０にそれらの動作のために電力を伝送する。
【００１３】
工業プラント１０は、電力を工業負荷１３０にさらに提供する送電網１４０にも結合される。工業負荷によって必要とされる電力の差が、発電システム１００によって発生される電力よりも高い場合、工業プラント１０は、必要とされる電力と発電システム１００によって発生された電力との電力差を送電網１４０から受ける。対照的に、発電システム１００によって発生された電力が工業負荷１３０によって必要とされる電力よりも高い場合、発電システム１００によって発生された余剰電力は、送電網１４０に伝送される。
【００１４】
工業プラント１０は、補助発電機１６０をさらに含む。一実施形態では、補助発電機１６０は、ディーゼル発電機を含むことができる。補助発電機１６０および送電網１４０は、切替盤１７０を介して工業負荷１３０に動作可能なように結合される。一実施形態では、切替盤１７０は自動電源故障盤を含むことができる。切替盤１７０は、工業負荷１３０を送電網１４０または補助発電機１６０のいずれかに結合するのに使用される。
【００１５】
通常動作の間、工業負荷１３０は、誘導発電機１２０と送電網１４０とに動作可能なように結合される。誘導発電機１２０および送電網１４０は、誘導発電機１２０によって発生された電力を送電網１４０から工業負荷１３０に供給する。しかし、送電網１４０において障害が発生すると、送電網損失状態がもたらされることがある。一実施形態では、送電網損失状態は、送電網１４０が動作していなくて、工業負荷１３０に電力を提供することができない状態を含むことがある。そのような送電網損失状態の間、切替盤１７０は送電網１４０を工業負荷１３０から切り離し、補助発電機１６０を工業負荷１３０に結合する。さらに、そのような送電網損失状態を識別し次第、補助発電機１６０が作動される。しかし、補助発電機１６０は、その動作を開始するのに所定の時間を必要とする。本明細書で説明するように、「作動される」という用語は、補助発電機１６０がその動作を開始する命令を受け取る状態を表す。本明細書で説明するように、「開始される」という用語は、補助発電機１６０が上記のコマンドを受け取った後に動作可能であり、工業負荷１３０を支援する用意ができている状態を表す。
【００１６】
発電システム１００は、ＡＣリンク１５０を介して誘導発電機１２０に電気的に結合されたインバータ１８０とスイッチ１９０とをさらに含む。一実施形態では、スイッチ１９０は機械スイッチを含むことができる。スイッチ１９０は、誘導発電機１２０を工業負荷１３０に接続しまたは工業負荷１３０から切り離すのに使用される。スイッチ１９０は、誘導発電機１２０を工業負荷１３０から切り離すのに採用され、そのように切り離されると、インバータ１８０は、補助発電機１６０の動作が開始されるまで、誘導発電機１２０の端子電圧を制御する。一実施形態では、スイッチ１９０および切替盤１７０は、それぞれの切替状態を同時に変更することができ、あるいは、スイッチ１９０は、切替盤１７０が工業負荷１３０を補助発電機１６０に結合した後、その状態を変更することができる。具体的な実施形態では、スイッチ１９０の切替状態は、誘導発電機１２０が工業負荷１３０に結合される第１の状態と、誘導発電機１２０が工業負荷１３０から切り離される第２の状態とを含むことができる。
【００１７】
一実施形態では、インバータ１８０は、自励式無効電力補償装置（ＳＴＡＴＣＯＭ）を含むことができる。インバータ１８０は、補助発電機１６０がその動作を開始する所定の時間の間、誘導発電機１２０の固定子上の同期周波数が維持されるように、誘導発電機１２０の端子電圧を制御する。さらに、別の実施形態では、インバータ１８０は、補助発電機１６０を開始させるための所定の時間の間、誘導発電機１２０によって発生された電力を消費するのに使用される電力消費デバイス２００に電気的に結合することができる。一実施形態では、インバータ１８０は、直流コンデンサに電気的に結合することができる。例示的な実施形態では、電力消費デバイス２００は、抵抗素子またはエネルギー貯蔵素子を含むことができる。電力消費デバイス２００は、抵抗素子またはエネルギー貯蔵素子に並列構成で動作可能なように結合された直流チョッパをさらに含むことができる。したがって、インバータ１８０および電力消費デバイス２００を発電システム１００に使用することにより、誘導発電機１２０にライドスルー機能が提供され、それによって、送電網損失状態の間、ならびに補助発電機１６０がその動作を開始する所定の時間の間、誘導発電機１２０が動作することが可能になる。一実施形態では、インバータ１８０および電力消費デバイス２００は、送電網損失ライドスルー機能を前から存在する発電システムに導入するために、任意の前から存在する発電システムに動作可能なように結合することができる改修ユニット２１０を形成する。
【００１８】
さらに、補助発電機１６０が開始し次第、インバータ１８０により、誘導発電機１２０の端子電圧が、補助発電機１６０によって発生された電圧と同期することが可能になる。端子電圧が補助発電機１６０によって発生された電圧と同期すると、スイッチ１９０が誘導発電機１２０を工業負荷１３０と接続し、誘導発電機１２０が、送電網１４０が修復されるまでそのような工業負荷１３０に電力を伝送する。さらに、補助発電機１６０が動作する間、インバータ１８０は、待機モードで動作する、または代替として、インバータ１８０は、発電システムに無効電力を提供して、発電システム１００によって発生された電力の質を改善することができる。
【００１９】
しかし、場合によっては、補助発電機１６０は、所定の時間内にその動作を開始しない可能性がある。そのような状況では、原動力１１０は、誘導発電機１２０の速度を所定の速度に低減するために、誘導発電機１２０が運転停止されるまで所定のやり方で速度を落とすことができる。誘導発電機１２０のそのような運転停止手順により、結果として、送電網損失状態の場合、従来の引外し運転停止手順に比較して、誘導発電機１２０への最小の損傷／損傷なしとなる。さらに、所定の速度における誘導発電機の運転停止により、結果として電力消費デバイス２００の費用低減となる、従来の引外し運転停止手順に比較して、電力定格がより小さい電力消費デバイス２００の使用が可能となる。
【００２０】
続いて、送電網１４０が修復し次第、インバータ１８０は、送電網１４０の修復を検出し、誘導発電機１２０を送電網１４０と再同期させる。一実施形態では、再同期は、誘導発電機１２０の周波数を送電網１４０と同期させ、インバータ１８０の電圧を送電網１４０の電圧と同期させるステップとを含むことができる。切替盤１７０は、工業負荷１３０を補助発電機１６０から切り離し、工業負荷１３０を送電網１４０に結合する。送電網１４０は電力を送電網１４０に供給し、補助発電機１６０は、動作を停止して、補助発電機１６０の運転停止をもたらす。そのような 状況では、インバータ１８０は、誘導発電機１２０の無効電力制御を実施するか、または何ら電流を発電システム１００に注入することなく動いていな状態のままであるかのいずれかであり得る。一実施形態では、インバータ１８０は、送電網１４０が工業負荷１３０の支援を開始し、補助発電機１６０から送電網１４０への移行が完了するまで、誘導発電機１２０の端子電圧を調節する。
【００２１】
図２は、本発明の実施形態による、インバータ１８０と電力消費デバイス２００とを含む、図１の改修ユニット２１０の概略図である。この実施形態では、インバータ１８０は、三相インバータを含む。インバータ１８０は、３つのそれぞれの相に対して３つの脚部を含み、３つの脚部は互いに並列構成で結合される。各脚部は２つの切替ユニットを含み、切替ユニットの各々は、互いに並列に結合されたスイッチとダイオードとを含む。一実施形態では、スイッチは絶縁ゲートバイポーラトランジスタ（ＩＧＢＴ）、金属酸化膜半導体電界効果トランジスタ（ＭＯＳＦＥＴ）またはそれらの組合せを含むことができる。さらに、インバータ１８０は、インバータスイッチ２３０を介して電力消費デバイス２００に動作可能なように結合された直流コンデンサ２２０を含む。インバータスイッチ２３０は導通状態で動作して、電力消費デバイス２００をインバータ１８０と結合する。あるいは、インバータスイッチ２３０は、非導通状態で動作して、電力消費デバイス２００をインバータ１８０から減結合する。
【００２２】
補助発電機１６０がその動作を開始する所定の時間の間、インバータ１８０は、誘導発電機によって発生された電力を使用してエネルギー貯蔵素子２２０を充電する（図１）。充電時間の間、インバータスイッチ２３０は、直流コンデンサ２２０の電圧（Ｖｄｃ）が第１の所定の限界値に達するまで非導通状態で動作される。続いて、インバータスイッチ２３０は、導通状態で動作され、その場合、インバータスイッチ２３０は、直流コンデンサ２２０を電力消費デバイス２００に結合する。そのような構成において、直流コンデンサ２２０は、直流コンデンサ２２０の電圧（Ｖｄｃ）が第２の所定の限界値に達するまで、電力消費デバイス２００を通じて放電する。上記のプロセスは、補助発電機１６０がその動作を開始するまで繰り返される。補助発電機１６０がその動作を開始すると、インバータスイッチ２３０が、直流コンデンサがインバータから充電されないように非導通状態に切り替えられる。
【００２３】
図３は、改修ユニット２５０内の電力消費デバイス２４０が、本発明の実施形態による図１および図２と対照的に、ＡＣリンク１５０に結合することができる、図１の発電システム１００の別の実施形態である。
【００２４】
図４は、１つまたは複数のインバータスイッチ２６０を介してＡＣリンク１５０に結合された電力消費デバイス２４０を示す、図３の改修ユニット２５０の概略図である。この実施形態では、発電システム（図３）は、三相発電システムであり、したがって、電力消費デバイスが３つのインバータスイッチ２６０を介してＡＣリンク１５０に結合される。インバータスイッチ２６０の各々は、電力消費デバイス２４０をそれぞれの相に結合するのに使用される。一実施形態では、インバータスイッチ２６０は切替ユニットを含み、その場合、切替ユニットの各々は、交流用三極管（ＴＲＩＡＣ）または絶縁ゲートバイポーラトランジスタ（ＩＧＢＴ）を含む。電力消費デバイスおよびインバータスイッチ２６０の動作は、電力消費デバイス２００およびインバータスイッチ２３０に関して上に説明した動作と同様である。
【００２５】
図５は、本発明の実施形態による、ＡＣリンク１５０に動作可能なように結合されたコンデンサバンク２７０を含む、図１の発電システム１００の構成図である。この実施形態では、発電システム１００は、ＡＣリンク１５０を介して誘導発電機１２０に動作可能なように結合され得るコンデンサバンク２７０を含むことができる。コンデンサバンク２７０は、図１のインバータ１８０に加えて、無効電力の一部を誘導発電機１２０に提供するのに使用することができる。コンデンサバンク２７０の使用は、電力定格のより小さいインバータをコンデンサバンク２７０と連携して使用して、誘導発電機１２０に同じ無効電力を提供することができるので、インバータ１８０の費用の低減に役立つ。一実施形態では、コンデンサバンクの代わりに、切替可能コンデンサのバンクまたはコンデンサバンクと切替可能コンデンサのバンクとの組合せを使用して、無効電力を提供することができる。
【００２６】
図６は、本発明の実施形態による、ＡＣリンク１５０に動作可能なように結合された補助負荷２８０を含む、図５の発電システム１００の構成図である。この実施形態では、発電システム１００は、補助負荷２８０を含むことができる。一般に、補助負荷２８０は、誘導発電機１２０によって提供される電力を使用して動作される。従来のシステムでは、送電網損失状態の間、誘導発電機１２０は、運転停止され、それにより、次に、補助負荷の非動作がもたらされ、または無停電電源装置（ＵＰＳ）を使用して、補助負荷２８０に電力を提供する。しかし、この実施形態では、インバータ１８０は、補助負荷２８０に電力を提供することができる。一実施形態では、インバータ１８０は、補助発電機１６０によってその動作を開始するのにかかる所定の時間の間、補助負荷２８０に電力を提供することができる。補助負荷２８０の存在は、定格電力のより小さいインバータを補助負荷２８０と連携して使用することができ、補助負荷２８０が誘導発電機１２０によって発生された電力の少なくとも一部を使用することができるので、インバータ１８０および電力消費デバイス２００の費用の低減にも役立つ。
【００２７】
図７は、本発明の実施形態による、発電システム内の誘導発電機に送電網損失ライドスルー機能を提供するための方法３００に関与するステップを表す流れ図である。方法３００は、ステップ３１０において、発電システムにおける送電網損失状態を識別するステップを含む。一実施形態では、インバータが送電網損失状態を識別する。送電網は、ステップ３２０において、スイッチを使用して誘導発電機から切り離される。一実施形態では、送電網損失状態を識別し次第、補助発電機が作動される。一実施形態では、インバータは、補助発電機が作動し次第、誘導発電機を補助発電機と同期させる。別の実施形態では、誘導発電機は、誘導発電機を補助発電機と同期させた後、スイッチによって補助発電機に接続される。さらに、インバータは、ステップ３３０において、誘導発電機の端子電圧を制御する。誘導発電機は、ステップ３４０において、電力消費デバイスを使用して消費される電力を発生させる。方法３００は、インバータを使用して送電網を修復し次第および誘導発電機を送電網と同期させ次第、補助発電機の動作を停止させるステップをさらに含む。一実施形態では、誘導発電機は、補助発電機の動作が所定の時間内に開始されない場合、インバータを使用して所定の速度で誘導発電機の速度を低減することによって運転停止することができる。別の実施形態では、インバータは、送電網を修復し次第、無効電力を誘導発電機に提供するように制御される。一実施形態では、無効電力は、コンデンサバンク、切替可能コンデンサのバンク、またはそれらの組合せによって誘導発電機に提供することができる。
【００２８】
様々な実施形態による様々な特徴の互換性を当業者は認識し、また、説明した様々な特徴、ならびに各特徴の他の公知の均等物は、本開示の原理により、追加のシステムおよび技法を構築するために、当業者によって混合され、組み合わされ得ることを理解されたい。したがって、添付の特許請求の範囲は、すべてのそのような修正および変更を本発明の真の精神に含まれるものとして包含することが意図されていることを理解されたい。
【００２９】
本発明のある一定の特徴だけを本明細書に例示し説明してきたが、多くの修正および変更が当業者には思いつくことであろう。したがって、添付の特許請求の範囲は、すべてのそのような修正および変更を本発明の真の精神に含まれるものとして包含することが意図されていることを理解されたい。
【符号の説明】
【００３０】
１０  工業プラント
１００  発電システム
１１０  原動力
１２０  誘導発電機
１３０  工業負荷
１４０  送電網
１５０  ＡＣリンク
１６０  補助発電機
１７０  切替盤
１８０  インバータ
１９０  スイッチ
２００  電力消費デバイス
２１０  改修ユニット
２２０  直流コンデンサ
２３０  インバータスイッチ
２４０  電力消費デバイス
２５０  改修ユニット
２６０  インバータスイッチ
２７０  コンデンサバンク
２８０  補助負荷
３００  方法
３１０  ステップ
３２０  ステップ
３３０  ステップ
３４０  ステップ
【図１】
2016103968.tif 000003
【図２】
2016103968.tif 000004
【図３】
2016103968.tif 000005
【図４】
2016103968.tif 000006
【図５】
2016103968.tif 000007
【図６】
2016103968.tif 000008
【図７】
2016103968.tif 000009
【外国語明細書】
2016103968000001.pdf